(57)【特許請求の範囲】
【請求項１】
被検者眼の眼底を撮影する撮影光学系と、
被検者眼と前記撮影光学系とのアライメント状態を検出するアライメント検出手段と、
被検者眼の眼底と前記撮影光学系とのフォーカス状態を検出するフォーカス検出手段と、
前記アライメント検出手段の検出結果に基づいて被検者眼に対する前記撮影光学系の位置調節を行う自動アライメント制御と、前記フォーカス検出手段の検出結果に基づいて被検者眼の眼底に対する前記撮影光学系のフォーカス調整を行う自動フォーカス制御と、を作動可能な制御手段と、
を備える眼底撮影装置において、
前記制御手段は、蛍光撮影用の励起光を用いて被検者眼の眼底を蛍光撮影する蛍光撮影中において、
前記自動アライメント制御を作動させる一方、
前記自動フォーカス制御を停止、又はフォーカス完了とされる許容範囲を通常の眼底撮影におけるフォーカス完了範囲よりも緩く設定した状態で前記自動フォーカス制御を作動させることを特徴とする眼底撮影装置。
【発明の詳細な説明】
【技術分野】
【０００１】
本発明は、被検者眼の眼底を撮影する眼底撮影装置に関する。
【背景技術】
【０００２】
被検者眼の眼底を撮影する眼底撮影装置としては、観察照明光学系からの観察用の赤外光を眼底観察光学系にて受光してモニタに赤外光による眼底画像を表示させて位置合わせ又は眼底観察を行い、撮影照明光学系からの撮影用の可視光を受光して眼底撮影を行う無散瞳型の眼底カメラが知られている。また、このような無散瞳型の眼底カメラにおいては、可視蛍光撮影用のエキサイタフィルタ及び蛍光及び赤外光を透過するバリアフィルタが挿脱可能に設けられ、簡易的に蛍光撮影を行うことができる機能を備えたものが提案されている（特許文献１参照）
【先行技術文献】
【特許文献】
【０００３】
【特許文献１】特開２００１−２５８８５０号公報
【発明の概要】
【発明が解決しようとする課題】
【０００４】
特許文献１にて提案されている眼底カメラにおいて、蛍光撮影時の位置合わせは、モニタに表示される赤外画像を観察しながら行うものとしている。しかしながら、蛍光撮影では蛍光剤導入初期においてその経時変化を詳細に得るために、例えば１秒間隔等の所定間隔にて連続的に撮影を行うことが多く、短い撮影間隔の間に好適に位置合わせを行うことが難しい。また、このような連続撮影において得られた蛍光画像の経時的な変化を逐次確認できることが望まれている。
【０００５】
本発明は、上記従来技術の課題に鑑み、蛍光撮影時の蛍光の変化を容易に得ることができ、連続撮影を好適に行う事のできる眼底撮影装置を提供することを技術課題とする。
【課題を解決するための手段】
【０００６】
上記課題を解決するために、本発明は以下のような構成を備えることを特徴とする。
（１）被検者眼の眼底を撮影する撮影光学系と、
被検者眼と前記撮影光学系とのアライメント状態を検出するアライメント検出手段と、
被検者眼の眼底と前記撮影光学系とのフォーカス状態を検出するフォーカス検出手段と、
前記アライメント検出手段の検出結果に基づいて被検者眼に対する前記撮影光学系の位置調節を行う自動アライメント制御と、前記フォーカス検出手段の検出結果に基づいて被検者眼の眼底に対する前記撮影光学系のフォーカス調整を行う自動フォーカス制御と、を作動可能な制御手段と、
を備える眼底撮影装置において、
前記制御手段は、蛍光撮影用の励起光を用いて被検者眼の眼底を蛍光撮影する蛍光撮影中において、
前記自動アライメント制御を作動させる一方、
前記自動フォーカス制御を停止、又はフォーカス完了とされる許容範囲を通常の眼底撮影におけるフォーカス完了範囲よりも緩く設定した状態で前記自動フォーカス制御を作動させることを特徴とする。
【発明の効果】
【０００７】
本発明によれば、蛍光撮影時の蛍光の変化を容易に得ることができ、蛍光撮影時の連続撮影を好適に行う事ができる。
【発明を実施するための形態】
【０００８】
以下、本発明に係る実施形態を図面に基づいて説明する。
図１は本実施形態に係る眼底カメラの外観構成図である。眼底カメラは、基台１と、基台１に対して左右方向（Ｘ方向）及び前後（作動距離）方向（Ｚ方向）に移動可能な移動台２と、移動台２に対して３次元方向に移動可能に設けられ後述する光学系を収納する撮影部（装置本体）３と、被検者の顔を支持するために基台１に固設された顔支持ユニット５を備える。撮影部３は、移動台２に設けられたＸＹＺ駆動部６により、被検者眼Ｅに対して左右方向、上下方向（Ｙ方向）及び前後方向に移動される。移動台２は、ジョイスティック４の操作により基台１上をＸＺ方向に移動される。また、回転ノブ４ａを回転操作することにより、ＸＹＺ駆動部６がＹ駆動し撮影部３がＹ方向に移動される。なお、撮影部３の検者側には、眼底観察像、眼底撮影像、及び前眼部観察像等を表示するモニタ８が設けられている。
【０００９】
図２は本実施形態に係る眼底カメラの光学系概略図である。光学系は、照明光学系１０（観察照明光学系１０ａ、撮影照明光学系１０ｂ）、眼底観察・撮影光学系３０（眼底観察光学系３０ａ、眼底撮影光学系３０ｂ）、フォーカス指標投影光学系４０、アライメント指標投影光学系５０、前眼部観察光学系６０から大別構成されている。
【００１０】
＜照明光学系＞  照明光学系１０の観察照明光学系１０ａは、ハロゲンランプ等の光源１１、波長７５０ｎｍ以上の近赤外光を透過する赤外フィルタ１２、コンデンサレンズ１３、コンデンサレンズ１３とリングスリット１７との間に配置されたダイクロイックミラー１６、リング状の開口を有するリングスリット１７、リレーレンズ１８、ミラー１９、中心部に黒点を有する黒点板２０、リレーレンズ２１、孔あきミラー２２、対物レンズ２５を有する。波長選択部材であるダイクロイックミラー１６は、赤外光を反射し可視光を透過する特性を持つ。
【００１１】
撮影照明光学系１０ｂは、フラッシュランプ等の撮影光源１４、コンデンサレンズ１５、挿脱機構Ａにより光路から挿脱可能に配置されたエキサイタフィルタＥＸ、リングスリット１７から対物レンズ２５までの光学系を有する。エキサイタフィルタＥＸは、約４５０ｎｍから５２０ｎｍの可視照明光を蛍光励起用光とする波長選択特性を有し、通常のカラー撮影時には光路から離脱された状態に置かれ、蛍光撮影時に挿入される。
【００１２】
なお、エキサイタフィルタＥＸは、可視光を投光する撮影光源１４から赤外光を反射し可視光を透過する特性を持つ波長選択部材１６までの光路上に挿脱可能に配置される。これにより、蛍光撮影が行われる場合に、エキサイタフィルタＥＸにより観察照明光学系１０ａからの赤外光が遮断されることが防止される。なお、エキサイタフィルタＥＸに蛍光励起用光と観察照明光学系１０ａからの赤外光とを透過する特性を持たせれば、光源１１と穴あきミラー２２までの間の光路上に挿脱可能に配置することも可能である。
【００１３】
＜眼底観察・撮影光学系＞  眼底観察光学系３０ａは、対物レンズ２５、孔あきミラー２２の開口近傍に位置する撮影絞り３１、光軸方向に移動可能なフォーカシングレンズ３２、結像レンズ３３、眼底撮影時には挿脱機構３９により光路から挿脱可能な跳ね上げミラー３４、跳ね上げミラー３４の反射方向の光路にあるリレーレンズ３６、赤外域に感度を有する観察用二次元撮像素子３８からなる。撮影絞り３１は対物レンズ２５に関して被検者眼Ｅの瞳孔と略共役な位置に配置されている。フォーカシングレンズ３２は、モータを備える移動機構４９により光軸方向に移動される。
【００１４】
眼底撮影光学系３０ｂは、眼底観察光学系３０ａの対物レンズ２５と撮影絞り３１から結像レンズ３３までの光学系を共用すると共に、挿脱機構Ｂにより光路から挿脱可能に配置されたバリアフィルタＢＡ、可視域に感度を有する撮影用二次元撮像素子３５を備える。バリアフィルタＢＡは、蛍光励起用光によって励起される蛍光を透過させ、照明光学系１０からの赤外光、及び蛍光例起用光を遮蔽させる特性を持ち、通常のカラー撮影時には光路から離脱された状態に置かれ、蛍光撮影時に挿入される。
なお、バリアフィルタＢＡは眼底撮影光学系３０ｂにおいて、前眼部観察光学系６０と照明光学系１０と共有の光路を避けた、穴あけミラー２２から撮像素子３５までの光路上に配置することができる（前眼部観察光学系６０の詳細な説明は後述する）。
【００１５】
対物レンズ２５と孔あきミラー２２の間には、光路分岐部材としての挿脱可能なダイクロイックミラー（波長選択性ミラー）２４が斜設されている。ダイクロイックミラー２４は、アライメント指標投影光学系５０及び前眼部照明光源５８の波長光（中心波長９４０ｎｍ）を反射し、眼底観察用照明の波長光及びフォーカス指標投影光学系４０の光源波長（中心波長８８０ｎｍ）を含む波長９００ｎｍ以下を透過する特性を有する。撮影時には、ダイクロイックミラー２４は挿脱機構６６により連動して跳ね上げられ、光路外に退避する。挿脱機構６６は、ソレノイドとカム等により構成することができる。
【００１６】
観察用の光源１１を発した光束は、赤外フィルタ１２により赤外光束とされ、コンデンサレンズ１３、ダイクロイックミラー１６により反射されてリングスリット１７を照明する。リングスリット１７を透過した光は、リレーレンズ１８、ミラー１９、黒点板２０、リレーレンズ２１を経て孔あきミラー２２に達する。孔あきミラー２２で反射された光は、ダイクロイックミラー２４を透過し、対物レンズ２５により被検者眼Ｅの瞳孔付近で一旦収束した後、拡散して被検者眼Ｅの眼底部を照明する。眼底からの反射光は、対物レンズ２５、ダイクロイックミラー２４、孔あきミラー２２の開口部、撮影絞り３１、フォーカシングレンズ３２、結像レンズ３３、跳ね上げミラー３４、リレーレンズ３６を介して撮像素子３８に結像する。
【００１７】
一方、撮影光源１４の発光により、眼底は可視光により照明され、眼底からの反射光は対物レンズ２５、孔あきミラー２２の開口部、撮影絞り３１、フォーカシングレンズ３２、結像レンズ３３を経て二次元撮像素子３５に結像する。なお、蛍光撮影モードに設定されている場合は、バリアフィルタＢＡを透過した眼底からの反射光（蛍光）が二次元撮像素子３５に結像される。
【００１８】
＜フォーカス指標投影光学系＞  フォーカス指標投影光学系４０は、赤外光源４１、スリット指標板４２、このスリット指標板４２に取り付けられた２つの偏角プリズム４３、投影レンズ４７、照明光学系１０の光路に斜設されたスポットミラー４４を備える。スポットミラー４４はレバー４５の先端に固着されていて、通常は光軸に斜設されるが、撮影時にはロータリソレノイド４６の軸の回転で、光路外に退避させられる。なお、スポットミラー４４は被検者眼Ｅの眼底と共役な位置に配置される。光源４１、スリット指標板４２、偏角プリズム４３、投影レンズ４７、スポットミラー４４及びレバー４５は、フォーカシングレンズ３２と連動して移動機構４９により光軸方向に移動される。また、フォーカス指標投影光学系４０のスリット指標板４２の光束は、偏角プリズム４３及び投影レンズ４７を介してスポットミラー４４により反射された後、リレーレンズ２１、孔あきミラー２２、ダイクロイックミラー２４、対物レンズ２５を経て被検者眼Ｅの眼底に投影される。眼底のフォーカスが合っていないとき、スリット指標板４２の指標像は分離され、フォーカスが合っているときに一致して投影される。そして、被検者眼Ｅの眼底上に投影されたフォーカス指標像は、眼底観察用の撮像素子３８によって眼底像と共に撮像される。
【００１９】
＜アライメント指標投影光学系＞  アライメント用指標光束を投影するアライメント指標投影光学系５０は、撮影光軸Ｌ１を中心に左右方向に対称に配置された赤外光源５１とコリメーティングレンズ５２を持つ第１指標投影光学系と、前述の第１指標投影光学系より狭い角度に配置された光軸を持ち光軸Ｌ１が通る垂直平面を挟んで左右対称に配置された第２指標投影光学系であって２つの赤外光源５３を持つ第２指標投影光学系と、を備える。第１指標投影光学系は被検者眼Ｅの角膜に無限遠の指標を投影し、第２指標投影光学系は被検者眼Ｅの角膜に有限遠の指標を投影する構成となっている。なお、第２指標投影光学系は、投影される指標光束が被検者眼の瞳孔にかからないように、第１指標投影光学系によりも下側に設けられている。
【００２０】
＜前眼部観察光学系＞  前眼部観察光学系６０は、ダイクロイックミラー２４の反射側に、フィールドレンズ６１、ミラー６２、絞り６３、リレーレンズ６４、赤外域の感度を持つ撮影手段としての二次元撮像素子６５を備える。また、二次元撮像素子６５はアライメント指標検出用の撮像手段を兼ね、中心波長９４０ｎｍの赤外光を発する前眼部照明光源５８により照明された前眼部とアライメント指標が撮像される。前眼部照明光源５８により照明された前眼部は、対物レンズ２５、ダイクロイックミラー２４及びフィールドレンズ６１からリレーレンズ６４の光学系を介して二次元撮像素子６５により受光される。また、アライメント指標投影光学系５０が持つ光源の点灯により、前眼部に投影されたアライメント指標が二次元撮像素子６５に受光される。二次元撮像素子６５の出力は制御部８０に入力され、図３に示すようにモニタ８には二次元撮像素子６５に撮像された前眼部像Ｆが表示される。なお、前眼部観察光学系６０は、被検者眼Ｅに対する装置本体のアライメント状態を検出する役割を兼用する。
【００２１】
＜制御系＞  二次元撮像素子６５、３８、３５の出力は、制御部８０に入力される。制御部８０は二次元撮像素子６５で撮像された前眼部画像からアライメント指標を検出処理し、二次元撮像素子３８に撮像された眼底画像からフォーカス指標を検出処理する。また、モニタ８は、制御部８０により表示画像が制御される。また、制御部８０は、撮像素子６５からの撮影信号に基づいて被検者眼に対する装置本体３のアライメント偏位量を検出する役割を有する。制御部８０には、他に、ＸＹＺ駆動部６、移動機構４９、挿脱機構３９、挿脱機構６６、挿脱機構Ａ，Ｂ、回転ノブ４ａ、撮影スイッチ４ｂ、カウンタスイッチ９、各種のスイッチを持つスイッチ部９０、記憶手段としてのメモリ８５、各光源等が接続されている。
【００２２】
スイッチ部９０には、眼底のフォーカス状態の調整を自動的に行うオートフォーカスモードと手動で行う手動フォーカスモードとを選択するスイッチ９１、手動でフォーカス調整を行うためのフォーカス調整スイッチ９２、眼底のカラー撮影を行う眼底撮影モードと眼底の蛍光撮影を行う蛍光撮影モードとを選択する撮影切換スイッチ９３、撮影可能条件が満たされたときに自動的に眼底撮影が行われる自動撮影モードと検者が撮影スイッチ４ｂを押す度に眼底撮影が行われる手動撮影モードとを選択するスイッチ９４等が含まれる。カウンタスイッチ９は、蛍光剤の静注時からの経過時間をカウントさせるためのものであり、制御部８０に用意されているカウンタ９ａが作動し、スイッチ使用からの経過時間はモニタ８に表示される。また、自動撮影モードが選択されているときは、制御部８０はカウンタ９ａによるカウント信号に基づいてその後の撮影動作の制御を行うこととなる。また、制御部８０は、図３の前眼部像観察画面に示すように、アライメント基準となるレチクルＭと撮影可能な最小瞳孔径を表す円形マークＰとを表示モニタ８の画面上の所定位置に電子的に形成して表示させる。
【００２３】
以上のような構成を備える眼底カメラの動作について、蛍光撮影を行う場合の動作を中心に説明する。ここではスイッチ部９０を用いて蛍光撮影モードで自動撮影モードが設定された場合について説明する。初めに撮影切換スイッチ９３の操作で蛍光撮影モードに設定し、スイッチ９４により自動撮影モードに設定しておく、この状態ではエキサイタフィルタＥＸ、及びバリアフィルタＢＡは光路上に挿入されていない。
【００２４】
検者は被検者眼に散瞳剤を点眼し、十分に散瞳させた後、被検者の顔を顔支持ユニット５により支持し、図示なき固視灯を固視させる（例えば、固視灯は被検者眼の眼前に配置される。）初期段階では、ダイクロイックミラー２４は撮影光学系３０の光路に挿入されており、光源５８で照明された前眼部像が二次元撮像素子６５で撮像されてモニタ８に表示される状態となっている。検者は、前眼部像がモニタ８に現れるようにジョイスティック４の操作により撮影部３を上下左右に移動させる。図３に示すように、前眼部像がモニタ８に現れるようになると、アライメント指標像Ｍａ〜Ｍｄも現れるようになる。
【００２５】
被検者眼の角膜上に投影されたアライメント指標像Ｍａ〜Ｍｄが二次元撮像素子６５で検出されると、制御部８０は、アライメント指標の検出結果に基づいて被検者眼に対して眼底撮影光学系の位置を自動的に調節する自動アライメントを開始する。自動アライメントでは、制御部８０は指標像Ｍａ，Ｍｂの中間位置を角膜頂点位置とし、予め撮像素子６５上に設定されているアライメント基準位置に対する指標像Ｍａ，Ｍｂによって求められる角膜頂点位置のアライメント状態（変位量）を検出する。そして制御部８０は、検出結果に基づいて撮影部３が所定のアライメント許容範囲内に位置するようにＸＹ方向のアライメントを行う。また、制御部８０は無限遠光による指標像Ｍａ，Ｍｂの間隔と、有限遠光による指標像Ｍｃ，Ｍｄの間隔とを比較することにより、Ｚ方向のアライメント状態を検出して撮影部３のＺ方向のアライメントを行う（詳しくは、特開平６−４６９９９号参照）。
【００２６】
被検者眼Ｅと撮影部３とのアライメントが完了すると、制御部８０は二次元撮像素子３８で撮像された眼底画像からフォーカス指標を検出し、検出結果に基づいてフォーカシングレンズ３２、及びフォーカス指標投影光学系を光軸方向に移動させフォーカス調整を行う（以下、自動フォーカス調整）。
【００２７】
アライメント、フォーカスの自動調整終了後、検者は被検者に対して蛍光剤（例えば、フルオレセインナトリウム）を静注し、カウンタスイッチ９を押す。カウンタスイッチ９が押されると、制御部８０は蛍光時間をカウンタ９ａにより計測するとともにエキサイタフィルタＥＸ及びバリアフィルタＢＡをそれぞれ光路上に挿入させる。また、光源４１を消灯させ、自動フォーカス機能をオフさせる。なお、自動アライメント機能は蛍光撮影中は継続させる。なお、カウンタ９ａは所定の時間間隔Δｔ（例えば、１秒間隔）でクロック信号を出力し、制御部８０はクロック信号に基づき蛍光撮影のタイミング及び撮影期間の制御を行う。
【００２８】
ここで、蛍光撮影時の動作制御について、図４の蛍光撮影のタイミングとカウンタ９ａから出力されるクロック信号との関係に基づき説明する。上段は蛍光撮影が行われるタイミングＳＨであり、下段はカウンタ９ａからのクロック信号の出力タイミングＣＬをそれぞれ示している。
【００２９】
また、期間ＴＡは蛍光剤投与から眼底に蛍光剤が現れるまでの期間（約８〜１５秒後）を示している。なお、蛍光剤投与後、すぐにカウンタスイッチ９が押されるため、蛍光時間の計測開始時間は蛍光剤投与と略同時とされる。期間ＴＢは蛍光剤が最初に一巡される期間（約２０〜３０秒後）であり、この期間に脈絡膜・網膜血管が良く観察されるので、連続撮影が行われる。期間ＴＣは、蛍光剤が被検者の体内に循環する休止期間である。期間ＴＤ以降は、蛍光剤が再び眼底に出現される期間（約１０〜４０分後）であり、この期間に撮影される蛍光画像により機能（血液網膜関門）異常を観察できる。
【００３０】
期間ＴＡから期間ＴＢに切換るタイミング（連続撮影の開始時間）である時間ｔ１、期間ＴＢから期間ＴＣに切換るタイミング（連続撮影の終了時間）である時間ｔ２は予めメモリ８５に記憶されている。時間ｔ１，ｔ２は、クロック信号に基づき検出され、制御部８０は、設定されている時間ｔ１，ｔ２に基づき連続撮影の開始と終了の制御を行う。
【００３１】
制御部８０は期間ＴＡでは自動アライメント動作のみを行い、自動撮影を行わないように制御する。カウンタ９ａからのクロック信号に基づき、蛍光剤が眼底に出現しはじめる期間ＴＢ（時間ｔ２）に達したことが制御部８０で検出されると、制御部８０はカウンタ９ａからのクロック信号に連動させて光源１４からフラッシュ光を発光させ、蛍光撮影を連続的に行う。
【００３２】
期間ＴＢでクロック信号が検出されると、制御部８０は、撮影光源１４を発光させると同時に、挿脱機構６６及び３９の駆動により、跳ね上げミラー２４及び３４を光路上から瞬間的に離脱させる。撮影光源１４からの可視光はエキサイタフィルタＥＸにより蛍光励起光である青色光に制限され、前述の光路を辿って被検者眼の眼底を照明する。励起光による眼底からの反射光自体はバリアフィルタＢＡにより完全に遮断される。眼底血管に循環した蛍光剤が励起光により励起され、５２０ｎｍを超える帯域の蛍光が発せられる。この蛍光光束は対物レンズ２５、穴あきミラー２２、絞り３１を通過してバリアフィルタＢＡを通過する。その後、フォーカシングレンズ３３を介して、二次元撮像素子３５の撮像面上に結像され、これにより、蛍光光束による眼底血管造影が撮影される。撮影された眼底血管造影画像（蛍光画像）はメモリ８５に記憶されるとともに、モニタ８に逐次更新表示される。これにより蛍光初期における連続撮影中の蛍光画像の変化が容易に確認できる。また、連続撮影中においては、跳ね上げミラー２４，３４がその撮影動作に連動して挿脱されているが、制御部８０は跳ね上げミラー２４が光路上に配置されている状態のときに前眼部観察光学系６０を用いた自動アライメントを機能させ、連続撮影中におけるアライメントずれを抑制させる。
【００３３】
以上のように、期間ＴＢでは、クロック信号に基づき設定されている撮影タイミングで撮影光源１４の点灯、跳ね上げミラー２４，３４の光路上からの離脱が繰り返し行われるとともに、自動アライメント制御が行われ、位置ずれが抑制された複数の蛍光画像が撮影される。
【００３４】
なお、本実施形態では、期間ＴＢにおける撮影期間中に自動アライメント動作を行うものとしているが、次の撮影タイミングまでにアライメントが完了しない場合には、アライメント制御を優先させ、アライメントが許容範囲内に入った時点で次のクロック信号に同期させ撮影を行うように制御することも可能である。
【００３５】
制御部８０によるクロック信号の検出に基づき時間ｔ２（期間ＴＣ）に達したことが検出されると、挿脱機構Ａ及びＢの駆動により、エキサイタフィルタＥＸ及びバリアフィルタＢＡを光路上から離脱させる。また、制御部８０は、時間ｔ２（期間Ｃ）となると自動撮影モードを終了させ、その旨をモニタ８に表示させる。つまり、期間ＴＣ以降では検者が撮影スイッチ４ｂを押すごとに、１回の蛍光撮影がされる手動撮影モードになる。
検者は、蛍光剤が眼底から体内に循環する期間ＴＣでは被検者を顔支持ユニット５から離して休憩させる。
【００３６】
再び眼底全体に蛍光剤が出現される期間ＴＤ（時間ｔ３）となり、蛍光撮影の必要がある場合には、検者は再び被検者を顔支持ユニット５に支持させて、図示なき固視灯を固視させる。そして、撮影スイッチ４ｂを押して、必要な部位の撮影を行う。このとき、撮影スイッチ４ｂからのトリガ信号と連動して挿脱機構Ａ及びＢが駆動され、エキサイタフィルタＥＸ及びバリアフィルタＢＡが光路上に配置される。更に、撮影光源１４が点灯されると共に、挿脱機構３９及び６６の駆動により瞬間的に跳ね上げミラー２４、３４が光路上から離脱される。
【００３７】
なお、期間ＴＤで後期の蛍光撮影が行われる場合にも、前眼部観察光学系６０により常に被検者眼Ｅと撮影部３との自動アライメントがされるので、より正確な蛍光撮影が出来るようになる。また、手動撮影モードにおいてはクロックは単にモニタ８に時間経過を表示させる役割を果たすのみとし、撮影タイミング及び各フィルタの挿脱タイミングは、撮影スイッチ４ｂを押すことにより得られるものとされる。また、手動撮影モードにおいても撮影スイッチ４ｂが押されている間は、所定時間毎（例えば１秒毎）に光源１４が発光し連続的に撮影が行われる。このような手動撮影モードにおいても各撮影の間は自動アライメント制御が行われる。
【００３８】
なお、以上の説明では、自動フォーカス機能は無効とされているが、これに限るものではなく、自動フォーカス機能を有効にすることもできる。この場合にはバリアフィルタＢＡの特性を赤外光と蛍光とを透過させるものとしておけばよく、連続撮影中にバリアフィルタＢＡが光路上に配置されていても眼底に投影されたフォーカス指標がバリアフィルタＢＡを透過して撮像素子３８に受光されていればよい。なお、連続撮影中に自動アライメントと自動フォーカスの両方の制御を行う場合には、自動アライメント制御のみに対して位置合わせ完了までの時間が長くなり、連続撮影に影響を及ぼす可能性がある。このような場合には、フォーカス完了とされる許容範囲を通常の眼底撮影におけるフォーカス完了の許容範囲よりも緩く設定しておくこともできる。
【００３９】
更には、連続撮影が行われる期間ＴＢの開始時間ｔ１と終了時間ｔ２の設定は変更可能であっても良い。例えば、スイッチ部９０に撮影タイミングを変更するための入力手段を設ける。これにより、検者の経験、被検者の年齢又は症状に基づき連続撮影の開始と終了とが変更できるようになり、より好適な条件で蛍光撮影ができるようになる。
【００４０】
また、本実施形態では眼底カメラに設けられているモニタ８に蛍光画像を表示させるものとしているが、これに限るものではない。例えば、眼底カメラとパーソナルコンピュータ（ＰＣ）とを接続し眼底画像をＰＣ側にて管理するような眼底撮影装置において、蛍光撮影で得られた蛍光画像をＰＣ側に送信し、ＰＣ側のモニタ（ディスプレイ）に逐次表示させるようにすることもできる。
【図面の簡単な説明】
【００４１】
【図１】眼底カメラの外観構成図である。
【図２】眼底カメラの光学系概略図である。
【図３】二次元撮像素子で撮像された前眼部像の表示例である。
【図４】蛍光撮影のタイミングとクロック信号との関係の説明図である。
【符号の説明】
【００４２】
４ｂ  撮影スイッチ
６  ＸＹＺ駆動部
８  モニタ
９ａ  カウンタ
１０  照明光学系
１０ａ  観察照明光学系
１０ｂ  撮影照明光学系
１４  光源
３０  眼底観察・撮影光学系
３０ａ  眼底観察光学系
３０ｂ  眼底撮影光学系
３２  フォーカシングレンズ
３５、３８、６５  二次元撮像素子
４０  フォーカス指標投影光学系
４９  移動機構
５０  アライメント指標投影光学系
６０  前眼部観察光学系
８０  制御部
ＢＡ  バリアフィルタ
ＥＸ  エキサイタフィルタ
【図１】
0005427494.tif 000002
【図２】
0005427494.tif 000003
【図３】
0005427494.tif 000004
【図４】
0005427494.tif 000005